(57)【要約】【課題】  ユーザの煩わしい操作や感覚的な操作によらないで、さらには、専用の操作キーを増やすこともなく、高速送り／戻しの操作を行った後、正確且つ簡単に高速送り／戻しの操作をする前の表示画面に移動することが可能な表示装置、再生装置を提供する。【解決手段】  文字又は画像を表示することが可能な表示装置であって、前記文字又は画像を再生中に、第１の所定のキー３６Ｒ，３６Ｌ，３６Ｕ，３６Ｄが一定時間以上操作されると、画面表示する文字又は画像を所定単位で連続送り／戻しするとともに、前記第１の所定のキー３６Ｒ，３６Ｌ，３６Ｕ，３６Ｄの操作が終了された後に、第２の所定のキー３７が操作されると、前記第１の所定のキー３６Ｒ，３６Ｌ，３６Ｕ，３６Ｄを操作する直前に画面表示されていた文字又は画像を表示する。【選択図】  図１
2005276166.tif 000002
【特許請求の範囲】
【請求項１】
文字又は画像を表示することが可能な表示装置であって、
前記文字又は画像を表示中に、第１の所定のキーが一定時間以上動作されると、画面表示する文字又は画像を所定単位で連続送り／戻しするとともに、
前記第１の所定のキーの操作が終了された後に、第２の所定のキーが操作されると、前記第１の所定のキーを操作する直前に画面表示されていた文字又は画像を表示することを特徴とする表示装置。
【請求項２】
前記第１の所定のキーは、当該表示装置のリモートコントロール装置に付され、各種設定時にカーソルの移動を指示するためのキーが割り当てられることを特徴とする請求項１に記載の表示装置。
【請求項３】
前記第２の所定のキーは、当該表示装置のリモートコントロール装置に付され、前記第１の所定キーとは異なるキーが割り当てられることを特徴とする請求項１又は２に記載の表示装置。
【請求項４】
前記第２の所定のキーは、当該表示装置のリモートコントロール装置に付され、各種設定項目に対して直前に選択されていた項目に戻る指示をするためのキーが割り当てられていることを特徴とする請求項１乃至３のいずれかに記載の表示装置。
【請求項５】
前記第２の所定のキーは、当該表示装置のリモートコントロール装置に付され、前記第１の所定キーとは異なる、前記カーソルを動かせる指示をするためのキーが割り当てられることを特徴とする請求項１乃至３のいずれかに記載の表示装置。
【請求項６】
前記文字は、電子ブックデータを再生することにより得られるものであることを特徴とする請求項１乃至５のいずれかに記載の表示装置。
【請求項７】
前記画像は、静止画データを再生することにより得られるものであることを特徴とする請求項１乃至６のいずれかに記載の表示装置。
【請求項８】
各種データを再生することが可能なデータ再生装置であって、
前記データを再生中に、第１の所定のキーが一定時間以上操作されると、再生するデータを高速送り／戻しするとともに、
前記第１の所定のキーの操作が終了された後に、第２の所定のキーが操作されると、前記第１の所定のキーを操作する直前に再生されていたデータを出力することを特徴とするデータ再生装置。
【請求項９】
前記第１の所定のキーは、当該データ再生装置のリモートコントロール装置に付され、各種設定時にカーソルの移動を指示するためのキーが割り当てられることを特徴とする請求項８に記載のデータ再生装置。
【請求項１０】
前記第２の所定のキーは、当該データ再生装置のリモートコントロール装置に付され、前記第１の所定キーとは異なるキーが割り当てられることを特徴とする請求項８又は９に記載のデータ再生装置。
【請求項１１】
前記第２の所定のキーは、当該データ再生装置のリモートコントロール装置に付され、各種設定項目に対して直前に選択されていた項目に戻る指示をするためのキーが割り当てられていることを特徴とする請求項８乃至１０のいずれかに記載のデータ再生装置。
【請求項１２】
前記第２の所定のキーは、当該データ再生装置のリモートコントロール装置に付され、前記第１の所定キーとは異なる、前記カーソルを動かせる指示をするためのキーが割り当てられることを特徴とする請求項８乃至１０のいずれかに記載のデータ再生装置。
【請求項１３】
前記データは、電子ブックデータであることを特徴とする請求項８乃至１２のいずれかに記載のデータ再生装置。
【請求項１４】
前記データは、静止画データであることを特徴とする請求項８乃至１２のいずれかに記載のデータ再生装置。
【発明の詳細な説明】
【技術分野】
【０００１】
本発明は、文字又は画像データなどの各種データを再生して表示することが可能な表示装置及び再生装置に関する。
【背景技術】
【０００２】
近年、電子ブック再生装置（表示装置）などの各種データを再生することが可能なデータ再生装置（表示装置）が普及している。例えば、電子ブックは、通常、文字や画像、及び音声情報からなるデジタルデータとして提供され、そのデジタルデータは、ＣＤ−ＲＯＭ等の記録メディアによって頒布されることや、インターネットからダウンロード可能なサービスによって消費者に提供される。
【０００３】
上述のように電子ブック再生装置（表示装置）は、専用の電子ブックプレイヤーとして提供されることや、電子ブック読み取り機能を備えた携帯情報ツールとして提供される。また、テレビジョン受像機では、メモリカードスロットを設けて電子ブック表示や静止画像機能を付与した商品が提供されている。
【０００４】
以下は、文字又は画像データなどの各種データを再生して表示することが可能な表示装置であって、動画モード／静止画モード／電子ブックモードを備えた表示装置として、ここでは、テレビジョン受像機等、映像や画像を表示する映像表示装置を用いて説明をする。
【０００５】
文字及び画像データのデジタル化により、ユーザは、大容量な文字データ、静止画像データ及び各種データを記録することや、再生する機会が増えた。例えば、ユーザは、大量の文字量のデータを表示装置に多数頁に亘って表示させたいときや、多数枚の静止画像のデータを表示装置に多数頁に亘って表示させたいときがある。
【０００６】
これを解決する手段として、表示装置に表示された文字及び画像を、１頁単位で管理して次の頁へ送り／戻しするような頁送り機能や、インデックス機能を表示装置に設けることが提案されている。
【０００７】
例えば、特許文献１では、ユーザの利便性を向上させるためにスイッチを簡単にして、少ない操作でしおり頁又はインデックス頁を表示させることを目的とした電子ブックの表示装置が提案されている。この方法によれば、ユーザは任意の頁にしおりを設定することをでき、設定されたしおり一覧は、第１画面上に表示される。また、しおりに対応するしおり頁は、第２画面上に表示され、このしおり頁は、スイッチの動作によって順次更新されていく。
【０００８】
さらに、特許文献２では、頁送り中にサムネイル等の簡易画像を再生して表示し、これを早送りすることによって所望の画像を得るカメラ装置の早送り方法が提案されている。この方法によれば、あらかじめ、メモリに複数の画像を記憶しておき、検索時に複数の画像に対応する簡易画像を表示しながら頁送りをするものである。
【０００９】
さらに、特許文献３では、駒送り再生キーを操作し続けると、自動的に画面表示の駒送りの速度が速くなって行く。これによって、目的の画面を速く探すことができる操作装置が提案されている。
【００１０】
さらに、特許文献４では、装置の上面に配置されているキーを用いて前後へ頁送りするものにおいて、操作キーの押圧時間に従って頁をめくるスピードが早くなるように制御を行う携帯情報処理装置が提案されている。
【００１１】
これらのように、上述したようなしおり機能や頁送り機能を表示装置に付すことで、検索機能は向上するものの、しおり機能においては予め所望の頁にしおりを付与設定する操作が必要であり、また、高速（連続）頁送り／戻し機能においてはユーザの考えていた頁より必要以上に送り／戻しされることがある。
【００１２】
また、大量の文字データ及び画像データなどの各種データを取り扱う場合には、上述したしおり機能や、高速（連続）頁送り／戻し機能を用いても、ユーザは、今、画面表示されている文字や画像がファイル全体の中のどの位置か、またはどの頁を送り／戻しをされているかが、分からなくなる。これらのような時、ユーザは、高速で頁の送り／戻しを行った後に、一旦、高速（連続）頁送り／戻しを行う前の表示状態（再生状態）に戻して、再度別の操作或いは再サーチを行いたいと思う場合がある。
【００１３】
さらには、ユーザは、大容量の文字又は画像データなどの各種データを再生中に、今再生している位置または頁より残りの部分がどのようなものかといった粗筋を、あらかじめ高速早送りで見たいと思う場合がある。
【特許文献１】特開２００１−１０１２０２号公報
【特許文献２】特開平１１−１４６３２６号公報
【特許文献３】実開平３−５１５８０号公報
【特許文献４】特開平１０―３０１７５０号公報
【発明の開示】
【発明が解決しようとする課題】
【００１４】
しかしながら、上述した従来の技術では、高速で頁を送り／戻しする操作をしたとしても、高速で頁を送り／戻しする操作を行う前の頁に戻るには、やはり、多数の頁の送り／戻しをした頁分だけ、逆の頁に進むように高速で頁を戻し／送りをする操作を、ユーザ自身が行わなければならず、使い勝手が悪い。これらのことは、高速（連続）送り／戻しの単位が頁のみならず、他の単位例えば行単位であっても同様のことである。
【００１５】
また、上記特許文献１に記載の電子ブック表示装置においては、高速で頁を送り／戻しした後に、高速で頁を送り／戻しする前の頁に戻りたい場合、あらかじめ高速で頁を送り／戻しする操作をする前の頁にしおりを設定しておく必要があり、これでは、使い勝手が悪く、高速検索、閲覧しているとは言いがたい。
【００１６】
さらに、上記特許文献２に記載のカメラ装置では、早送りにより所望の画像を検索することが可能ではあるが、ユーザが早送り動作をする前の頁に戻りたい場合は、頁の早戻し操作を行う必要がありこれでは、利便性にかけてしまう。
【００１７】
さらに、上記特許文献３に記載の動作装置では、画像の駒送り再生キーを操作し続けることで、自動的に駒送りの速度を高速にすることが可能であるが、ユーザがコマ送り再生キーを操作する前の頁に戻りたい場合には、ユーザは頁を戻す操作をしてキーを押す時間を調整する必要がある。これでは、感覚的にしか、頁を戻すことができないために、早送りの操作をする前の頁に戻そうとしても、大雑把な頁にしか戻ることができず、正確性を欠いた操作しかできないため、やはり使い勝手が悪い。
【００１８】
さらに、上記特許文献４に記載の携帯情報処理装置では、前後への頁送り用キーの押圧時間によって高速で頁を送り／戻しする操作を行うことが可能であるが、ユーザが頁を高速で送り／戻しする操作をする前の表示画面に戻りたい場合には、上述した特許文献３の場合と同様、逆の方向へ頁を高速戻し／送りする操作を行う必要があり、ユーザは感覚的なキーを押す時間の調整によって、高速戻し／送り操作を行わなければならない。
【００１９】
以上のように、これら特許文献１〜４に記載されている方法では、早送り／早戻しを行った後に、ユーザが想定している表示画面位置（特に早送り／早戻し操作を行う直前の頁）に戻ることが困難であり、使い勝手及び操作性が悪いという問題があった。
【００２０】
本発明は、上述のような、ユーザの煩わしい操作や感覚的な操作によらないで、さらには、専用の操作キーを増やすこともなく、高速送り／戻しの操作を行った後、正確且つ簡単に高速送り／戻しの操作をする前の表示画面に移動することが可能な表示装置、再生装置を提供することを目的とする。
【課題を解決するための手段】
【００２１】
本願第１の発明は、文字又は画像を表示することが可能な表示装置であって、前記文字又は画像を表示中に、第１の所定のキーが一定時間以上操作されると、画面表示する文字又は画像を所定単位で連続送り／戻しするとともに、第１の所定のキーの操作が終了された後に、第２の所定のキーが操作されると、第１の所定のキーを操作する直前に画面表示されていた文字又は画像を表示することを特徴とする。
【００２２】
本願第２の発明は、前記第１の所定のキーが、当該表示装置のリモートコントロール装置に付され、各種設定時にカーソルの移動を指示するためのキーが割り当てられることを特徴とする。
【００２３】
本願第３の発明は、前記第２の所定のキーが、当該表示装置のリモートコントロール装置に付され、前記第１の所定キーとは異なるキーが割り当てられることを特徴とする。
【００２４】
本願第４の発明は、前記第２の所定のキーが、当該表示装置のリモートコントロール装置に付され、各種設定項目に対して直前に選択されていた項目に戻る指示をするためのキーが割り当てられていることを特徴とする。
【００２５】
本願第５の発明は、前記第２の所定のキーが、当該表示装置のリモートコントロール装置に付され、前記第１の所定キーとは異なる、カーソルを動かせる指示をするためのキーが割り当てられることを特徴とする。
【００２６】
本願第６の発明は、前記文字が電子ブックデータを再生することにより得られるものであることを特徴とする。
【００２７】
本願第７の発明は、前記画像が静止画データを再生することにより得られるものであることを特徴とする。
【００２８】
本願第８の発明は、各種データを再生することが可能なデータ再生装置であって、前記データを再生中に、第１の所定のキーが一定時間以上操作されると、再生するデータを高速送り／戻しするとともに、前記第１の所定のキーの操作が終了された後に、第２の所定のキーが操作されると、前記第１の所定のキーを操作する直前に再生されていたデータを出力することを特徴とする。
【００２９】
本願第９の発明は、前記第１の所定のキーが、当該データ再生装置のリモートコントロール装置に付され、各種設定時にカーソルの移動を指示するためのキーが割り当てられることを特徴とする。
【００３０】
本願第１０の発明は、前記第２の所定のキーが、当該データ再生装置のリモートコントロール装置に付され、前記第１の所定キーとは異なるキーが割り当てられることを特徴とする。
【００３１】
本願第１１の発明は、前記第２の所定のキーが、当該データ再生装置のリモートコントロール装置に付され、各種設定項目に対して直前に選択されていた項目に戻る指示をするためのキーが割り当てられていることを特徴とする。
【００３２】
本願第１２の発明は、前記第２の所定のキーが、当該再生装置のリモートコントロール装置に付され、前記第１の所定キーとは異なる、前記上下左右にカーソルを動かせる指示をするためのキーが割り当てられることを特徴とする。
【００３３】
本願第１３の発明は、前記データが電子ブックデータであることを特徴とする。
【００３４】
本願第１４の発明は、前記データが静止画データであることを特徴とする。
【発明の効果】
【００３５】
本発明によれば、文字及び画像データなどの各種データを再生中に所定のキー操作によって、該再生データの高速送り／戻しを実行して、その後、別の所定のキー操作をすることによって、所定のキー操作を行う直前の状態に戻すことができる。これにより、ユーザは煩わしい動作や感覚的な操作を行うことなく、検索性の高い閲覧を実行することができ、短時間でファイルを閲覧した後、再度、元の位置より閲覧することが可能である。
【００３６】
これは、大量の文字又は多数の画像データなどの各種データを再生して閲覧する場合に、ユーザは、高速送り／戻し操作により高速検索を行ったり、残りの文字又は画像などを早送りで確認することが可能となるとともに、簡単な操作により高速検索を行う直前の状態に戻して、再度別の操作を行ったり、高速送り／戻しの誤操作により再生位置が分からなくなってしまった場合の訂正が可能である。これらにより、簡単な操作による即時検索性を向上させることが可能になり、さらには、操作用のキーを増やすこともなく、操作性及び使い勝手を著しく向上させることができる。
【発明を実施するための最良の形態】
【００３７】
（実施の形態１）
本実施の形態においては、一例として電子ブック再生機能を備えた表示装置について、以下説明を行う。図１は本発明の一実施形態に係る表示装置の一構成例を示すブロック図で、電子ブック再生機能を備えたテレビジョン受像機として構成された本発明の一例を示すものである。また、図２は図１に示すリモコン装置の一例を示す外観図である。
【００３８】
表示装置１は、テレビジョン放送信号を受信するアンテナ１１と、アンテナ１１によって受信されたテレビジョン放送信号を映像検波し、映像信号及び音声信号を出力する受信部１２と、外部メモリのメディア例であるメモリカードＭが挿入されるスロット部１３と、スロット部１３に挿入されたメモリカードＭと通信を行う外部メモリ制御部１４と、受信部１２及び外部メモリ制御部１４から出力される信号とを切り換える切換部１５と、切換部１５から出力された映像信号をＲ，Ｇ，Ｂ信号に変換して出力する映像処理部１６と、切換部１５から入力された音声信号を再生処理して出力する音声処理部１７と、映像処理部１６から出力された映像信号を入力するＣＲＴや液晶ディスプレイ等による表示部１８と、音声処理部１７から出力された音声信号を入力して音声出力するスピーカ１９と、各種データやプログラムを記憶するＲＯＭ２０と、リモコン装置３０から出力される赤外線を受光する受光部２１と、上記各要素を制御する制御部２２とを有している。ここで、本実施形態の表示装置は、リモートコントローラ（以下、リモコン装置と称す）により動作可能で、電子ブックを再生可能なものである。なお、アンテナ１１及び受信部１２が受信手段に該当し、また切換部１５，映像処理部１６，音声処理部１７，表示部１８，及びスピーカ１９が出力手段に該当する。
【００３９】
メモリカードＭで例示する外部メモリとしては、スロット部挿入型のメディアだけでなく、ネットワークを介したロケーションにあるものも含め、各種メディアが挙げられる。また、メモリカードＭとしては、ＳＤメモリカード，マルチメディアカード，スマートメディア，コンパクトフラッシュ，メモリスティック（以上、登録商標）などの各種メディアのうち１又は複数に適合できるＰＣカードアダプタを採用することが好ましい。なお、ＰＣカードアダプタの現状の一般的仕様としては、例えばＰＣ−ＡＴＡカードタイプへの搭載が考えられるがこれに限られない。
【００４０】
さらには、これらメモリカードＭへは、これらにとらわれずに、１インチＨＤＤ（ｈａｒｄ  ｄｉｓｃ  ｄｒｉｖｅ）や、従来から記録装置として用いられている３．５及び５．２５インチＨＤＤといったリムーバブルＨＤＤが挿入でき、これらＨＤＤを使用するものでもよく、さらには、メモリカードＭへは、ＤＶＤ（ｄｉｇｉｔａｌ  ｖｅｒｓａｔｉｌｅ  ｄｉｓｃ）はＣＤ（ｃｏｍｐａｃｔ  ｄｉｓｃ）のような円形記録媒体が挿入でき、これらに記録された各種データを再生して表示装置で表示するるものであっても構わない。
【００４１】
また、外部メモリに関する動作としては、動画像や静止画像や電子ブックデータ等からなる各種ファイルなどのコンテンツを記憶するためのメモリカードＭがスロット部１３に挿入された状態で、コンテンツ表示が指示された際には、制御部２２は、外部メモリ制御部１４を介して、再生可能なコンテンツリストをメモリカードＭから読み出して表示部１８に表示する。そして、コンテンツリストから特定のファイルが選択され、決定キー３６Ｋが押されたならば、制御部２２は、該当するファイルをメモリカードＭから読み出して、切換部１５に送り、映像処理部１６／音声処理部１７で再生を行わせる。このような再生処理に加え、受信部１２から出力される映像信号及び音声信号などをメモリカードＭに映像データ／音声データとして書き込む録画処理も実行可能である。
【００４２】
また、外部メモリ制御部１４には、各種外部機器からの映像信号（ＡＶ信号）を入力可能とするＩ／Ｆを設け、制御部２２からの指示に従って切換部１５に出力する信号を選択するいわゆるＡＶセレクタとしての機能を持たせることができる。
【００４３】
外部機器（外部ソース）からの信号の受信に関し、本実施形態の表示装置としては、図１の構成に加えて通信回線を接続可能な通信Ｉ／Ｆを設け、通信回線を介して接続される（図示しない）サーバ装置から動画像データ又は静止画像データ並びに電子ブックデータからなる各種ファイルの配信を受けるようにしてもよい。この場合、通信回線を用いて配信された画像ファイルや電子ブックファイルを、制御部２２に接続されたＲＡＭなどに保持しておき、それらの表示が指示された際には、制御部２２は、再生可能な動画像情報又は静止画像情報、並びに電子ブックリストをＲＡＭから読み出して、画像情報の場合には映像処理部１６，音声処理部１７を介して、表示部１８に表示させる。電子ブックファイルの場合には、電子ブックリストから特定のファイルが選択され、決定キー３６Ｋが押されたならば、制御部２２は、該当するファイルを読み出して、切換部１５に送り、映像処理部１６／音声処理部１７で再生を行わせる。
【００４４】
また、ＯＳＤメニュー表示においては、制御部２２は、ＲＯＭ２０に記憶したＯＳＤメニューデータを読み出して映像処理部１６に送り、映像処理部１６にて切換部１５から出力される映像信号にＯＳＤメニューを加算して合成画像信号を生成し、表示部１８でＯＳＤ表示させる。
【００４５】
図１におけるリモコン装置３０の一例としては、図２で示すキー構成を備えたリモコン装置が適用される。リモコン装置３０には、電源キー３２，録画キー３３，静止画記録キー３４，動画モード／静止画モード／電子ブックモードを順に切り換えることができる動画／静止画／電子ブックの選択キー３５，各種設定動作を行う際に前の画面に戻るための戻るキー３７，入力切換キー，画面上に受信チャンネル番号などを表示するための画面表示キー３１，選局キー，割当選局キーや再生時又は録画時に使用する再生キー等のキー，音声調節キー，音声切換キー，ＯＳＤメニューキーなどの各種設定キーとともに、選択キー３６が設けられている。
【００４６】
選択キー３６は、表示画面上で表示装置及び表示装置に付された機能についての各種設定時にカーソルやポインタを移動させるための、四方向（上下左右）の方向指示キー３６Ｕ，３６Ｄ，３６Ｌ，３６Ｒ及び決定キー３６Ｋを備え、各操作キーがユーザに押圧されることで表示装置１に所定の信号を送信するためのものである。この方向指示キーは、本実施形態の送り／戻し操作に係わるキーであり、上方向の方向キー（上）３６Ｕ，下方向の方向キー（下）３６Ｄ，左方向の方向キー（左）３６Ｌ，右方向の方向キー（右）３６Ｒで構成される。なお、選択キー３６は、上下／左右のみ、或いは上下左右や８方向さらには無限方向に反応可能なスティック状のキーなどにより構成してもよい。
【００４７】
方向指示キーである方向キー（上）３６Ｕ，方向キー（下）３６Ｄ，方向キー（左）３６Ｌ，方向キー（右）３６Ｒは、従来通り、ＯＳＤメニュー画面内の各種設定項目を選択して、表示装置１における各種設定操作を行うために用いられると共に、電子ブック表示中（再生中）に、ユーザによって押圧されることで、電子ブックの表示画面を行／頁単位で送り／戻しする操作を行う（その動作に従った表示を画面上で行う）ための指示信号を、表示装置１の受光部２１に送信するためのキーである。
【００４８】
ここで、本実施の形態では、例えば行／頁を管理単位として文字及び画像データなどの各種再生データを扱う。ここで、電子ブックのような文字を表示する場合は、表示装置またはユーザにより決められた、Ｎ行（Ｎ≧１）×Ｍ列（Ｍ≧１）を１単位として、送り／戻し動作の管理・制御を行う。例えば、Ｎ＝１、Ｍ＝１のときには、文字の表示管理単位として、行が設定されている。ここで、行単位で送り／戻しされる場合は、Ｎ行×Ｍ列で表示されている状態における行単位で送り／戻しがなされる。また、頁単位で送り／戻しされる場合は、Ｎ行×Ｍ列の管理単位で送り／戻しがなされる。さらに、静止画像表示の場合は、例えば表示画面に一度に表示されるＮ（Ｎ≧１）×Ｍ（Ｍ≧１）の静止画像（後述する実施の形態２の場合の図５では１２枚の静止画像）からなる頁単位で、送り／戻しの管理・制御を行う。さらに、動画像表示の場合は、例えばフレーム単位で、送り／戻しの管理・制御を行う。
【００４９】
表示装置１は、電子ブックの再生中に、リモコン装置３０における方向指示キーである選択キー３６の方向キー（上）３６Ｕ，方向キー（下）３６Ｄ，方向キー（左）３６Ｌ，方向キー（右）３６Ｒの押圧によって送信される指示信号を受信すると、その方向指示キーである選択キー３６に対する押圧操作の継続時間に応じて、再生中の電子ブックに対する頁戻し動作，頁送り動作，行戻し動作，行送り動作を、速度を変更して行う。ここで、方向指示キーの押圧操作の継続時間は、（１）リモコン装置３０が方向指示キーの押圧中にキー信号を送り続け、表示装置１内に内蔵されたタイマなどでその受信時間を計測する。（２）リモコン装置３０内で方向指示キーの押圧中の時間を計測し、その計測に応じたキー信号を表示装置１に送信する。など様々な形態によって、表示装置１側での把握が可能である。
【００５０】
このように、本実施形態では、電子ブックの行／頁単位で送り／戻しする際、操作キーの押圧継続時間に応じて、送り／戻り速度の変更を行うことが可能である。さらに、送り／戻し速度は、操作キー押圧の継続時間に応じて複数段階の変更が可能であり、また、複数の閾値をあらかじめＲＯＭ２０等に格納しておき、この閾値とキー押圧操作の継続時間との比較処理を施すことで、複数段階のうちどの段階の速度で送り／戻し制御すべきかを判断できる。
【００５１】
また、４つの方向指示キーである方向キーのそれぞれの押圧操作に対応させて、頁戻し動作，頁送り動作，行戻し動作，行送り動作を実行することをＲＯＭ２０等に格納しておくことで、方向指示キーである方向キーの押圧操作に対応する送り／戻し動作が実行できる。例えば、頁戻し，頁送り，行戻し，行送りのそれぞれの動作を実行させたいときには、方向キー（左）３６Ｌ，方向キー（右）３６Ｒ，方向キー（上）３６Ｕ，方向キー（下）３６Ｄを押圧するというように、それらの対応関係をＲＯＭ２０に格納しておき、キー操作による指示信号を受信したときに対応関係を参照して、実行すべき動作を判断するようにすればよい。また、頁戻し，頁送り，行戻し，行送りのそれぞれの動作毎に、押圧操作の継続時間の閾値を変えておいてもよいし、切り換える速度の比を変えておいてもよい。
【００５２】
また、方向指示キーの押圧操作に対応する、頁戻し動作，頁送り動作，行戻し動作，行送り動作を、電子ブック再生時の縦書き又は横書き等の仕様或いは表示形態に応じて切り換えるようにしてもよい。仕様及び切り換え時の対応キーは、次に例示するように関連付けてＲＯＭ２０等に格納しておいてもよい。
【００５３】
＜頁戻し＞    ＜頁送り＞    ＜行戻し＞    ＜行送り＞
（Ａ）縦書き時：    上キー        下キー        右キー        左キー
（Ｂ）横書き時：    左キー        右キー        上キー        下キー
また、リモコン装置３０に、上述したような、各種設定操作を行う際に直前の設定画面に戻る指示を行うための戻るキー３７を有することを前提として、表示装置１は、キー操作によって電子ブックの再生中で、且つ頁戻し動作，頁送り動作，行戻し動作，行送り動作のいずれかの操作が実行された後に、戻るキー３７を押圧して送信される指示信号を受信すると、送り／戻り操作を行う直前の表示画面に戻すようにする。これは、電子ブックの再生中で、且つ頁戻し動作，頁送り動作，行戻し動作，行送り動作のいずれかの操作が実行された後である場合という条件に加え、その送り／戻し速度が高速であった場合に実行する。すなわち、行／頁単位で高速送り／戻しする動作がなされたときには、その動作終了後に戻るキー３７の操作により、高速送り／戻し操作前の再生表示位置に戻るようにする。
【００５４】
ここで、高速の行／頁送り／戻しとは、通常の再生またはキーの押圧操作による送り／戻しと比べて、早い速度で連続的に行／頁を次行／次頁へ送り／戻しされることを言う。この場合は、高速の行／頁送り／戻しは、連続的に１つの行／頁単位で送り／戻しされてもよく、さらに、２つの行／頁や５つの行／頁や１０つの行／頁等、適宜な行／頁単位で送り／戻しされてもよい。
【００５５】
また、高速で行／頁を送り／戻しする操作の後に戻るキー３７を操作する場合には、戻るキー３７が、本実施の形態として戻る役割を果たすのに有効な時間を示している。例えば、時間は１秒間であったり、３秒間であったり、１０秒間であったり３０秒間であることがあり、ユーザまたは表示装置内で戻る役割を果たすのに有効な時間を決めることが可能である。また、時間で制御する必要はなく、次のリモコン上でのキー入力操作が行われるまで有効であるように設定しても良い。例えば、高速検索動作終了後、最初に操作されるキーが戻るキー３７であれば、これを後の操作として有効と見なす構成としても良い。
【００５６】
これは、テレビジョン受像機（テレビ）等に付属のリモコン装置の戻るキー３７は本来前画面表示を行うためのキーであるが、これを、電子ブックを表示している場合の高速サーチ前の画面表示へ戻すための操作にも活用したものである。すなわち、テレビ等のリモコン装置には前画面表示を表示するための戻るキーがあるが、電子ブックを表示するときは、このキーをその前画面表示のための機能として使うのではなく、高速による行／頁単位での送り／戻しを行う操作があったときの戻る機能として活用することによって、リモコンのキー数を増やすことがなくなり、表示状態に応じて１つのキーが二つの機能を有することが可能となる。
【００５７】
上述したように、本実施形態の表示装置１は、基本的に、制御部２２（中央制御部又はマイコンとも言える）上に、或いはＲＯＭ２０上に搭載されたソフトウェア上での制御によって各種動作が行われる。通常のテレビ信号入力状態から電子ブック表示状態への切り替えは、リモコン等の入力切り替えキー等で行われる。そして電子ブックモードになって所望の電子ブックファイルを選択したときに、該電子ブックファイルが開かれて画面上に書籍の各頁が表示される。そして、本実施形態では、このような所望の電子ブックファイルを開いた状態の時に、方向指示キーの押圧操作がなされると、例えば、まずタイマ（図示せず）がキー押圧継続時間を計測して、その時間の経過に応じて、段階的に行／頁単位での送り／戻し速度を変動させることが可能となる。
【００５８】
また、上述の送り／戻しを指示する操作を行った時に、タイマが押圧操作継続時間を計測しはじめると同時に操作開始前の頁番号，行番号をあらかじめメモリ（図示せず）に記憶しておく。この場合、文字列が表示されている先頭アドレス、相対アドレス、絶対アドレスと言った情報でもよい。これにより、キー押圧操作が終了後に、最初から検索しなおそうとする場合、戻るキー３７を押せば、先程のメモリに記憶された操作前の頁番号，行番号や、文字列のアドレスと言った情報を制御部２２がメモリより読み出すことによって、送り／戻し操作する直前の頁／行を含む表示画面に戻すことが可能となる。
【００５９】
本実施形態にかかる表示装置によれば、選択キー３６（方向指示キー）を用いて、高速の行／頁送り／戻しする操作を行い、戻るキー３７によって、行／頁を送り／戻しする操作をする前の表示画面に戻すための「戻し」操作を行う。これにより、高速検索作業を容易にすることに加えて、文字データの残りの部分を確認できることや、他の作業の再実行性を容易にすること、さらには、誤操作時の訂正作業が容易に行える。これらのことから、ユーザの操作性を損なわず、ユーザに煩わしい思いをさせることや、操作用のキーを増やすこともない。特に「簡単構成で簡単動作」が要求されるテレビジョン装置に好適に適用できる。
【００６０】
図３は、本実施形態の表示装置による処理動作の一例について説明するためのフローチャートである。以下、図３のフローチャートに従って、本実施形態の表示装置の電子ブック表示処理の一例について説明する。なお、リモコン装置３０による動作は、テレビジョン受像機等、表示装置１の本体に設けられた操作部によっても実行指示を行うことが可能であるが、以下の処理例は、リモコン装置３０のみを使用して操作する場合について説明するものである。
【００６１】
まず、表示装置１の制御部２２は、少なくとも、ユーザがリモコン装置３０の電源キー３２を用いて電源をＯＮした状態で、電子ブック再生モードが選択指示されたか否かを監視する（ステップＳ１）。制御部２２は、選択キー３５の押圧等に基づいて電子ブック再生モードとなったと判断すると、再生可能な電子ブックの電子ファイルを表示部１８に表示する（ステップＳ２）。
【００６２】
この状態で、制御部２２は、方向指示キーである、方向キー（上）３６Ｕ，方向キー（下）３６Ｄ，方向キー（左）３６Ｌ，方向キー（右）３６Ｒのうちいずれかの押圧があるかを監視する（ステップＳ３）。制御部２２は、押圧されたと判断すると、キー押圧継続判定のための計測タイマをスタートさせ（ステップＳ４）、タイマが一定時間以上になったか否かを監視する（ステップＳ５）。制御部２２は、ステップＳ５において一定時間以上になっていないと判断している間、押圧されたキーが離されたか否かを監視する（ステップＳ６）。制御部２２は、ステップＳ６においてキーが離されたと判断した場合、押圧されていたキーに応じて、改行／改頁の動作を実行するよう制御し（ステップＳ７）、ステップＳ３に戻る。
【００６３】
一方で、制御部２２は、ステップＳ５においてキー押圧継続時間が一定時間以上になったと判断したときには、押圧されていたキーに応じて、改行／改頁の連続動作（第一速度での動作）を実行するよう制御し（ステップＳ８）、行／頁を送り／戻しする操作前の行／頁に関する情報を制御部２２に接続されたＲＡＭなどに記憶する（ステップＳ９）。次に、制御部２２は、さらにキー押圧継続時間が一定時間（上述した一定時間より長い時間）以上になったか否かを監視する（ステップＳ１０）。
【００６４】
制御部２２は、ステップＳ１０において一定時間以上にならない間、押圧されたキーが離されたか否かを監視する（ステップＳ１１）。制御部２２は、ステップＳ１１においてキーが離されたと判断した場合、行／頁を送り／戻しする動作を終了し、その時点でカウントされた行／頁を表示部１８に表示するよう制御する（ステップＳ１２）。一方で、制御部２２は、ステップＳ１０において一定時間以上になったと判断したときには、押圧されていたキーに応じて、改行／改頁の連続動作（第一速度より速い第二速度での動作）を実行するよう制御する（ステップＳ１５）。制御部２２は、ステップＳ１５の後、押圧されたキーが離されたか否かを監視し（ステップＳ１６）、離れたと判断したときにステップＳ１２へ進む。
【００６５】
制御部２２は、ステップＳ１２の後、戻るキー３７が押圧されたか否かを監視し（ステップＳ１３）、押圧されなければステップＳ３に戻り、押圧されれば画面表示する行／頁を高速送り／戻しする操作を行う直前の行／頁へ戻すよう表示部１８等を制御する（ステップＳ１４）。
【００６６】
従来、電子ブックであるなら、高速サーチ後に、元の行／頁へ戻す場合、逆方向への高速サーチを行う必要があった。しかし、本実施の形態においては、リモコン装置３０上の方向指示キーを押圧することにより、高速サーチを行った後、戻るキー３７を押圧するのみで、高速サーチ前の画面へ戻ることが可能になる。
【００６７】
これによって、ユーザは高速で行／頁を送り／戻しする際の誤操作を容易に取り消すことが可能となり、必要以上に行／頁を送り／戻すことなく、正確に高速送り／戻しの操作前の行／頁に戻ることができる。そして、高速送り／戻しの操作前の表示状態に戻して、再度別の操作を行うことができる。さらに、電子ブックを読書中に、残りのデータをあらかじめ高速で送り／戻しすることで粗筋を確認した後、元に戻って続きを読書することが可能となる。
【００６８】
上記本実施の形態において、送り／戻し操作に関し、横書きの文字を表示装置にて表示していたのであれば、行をＷ行（Ｗ≧１）送り／戻した状態で表示させて、同様に縦書きの場合は列を送り／戻した状態で表示させても良いことは言うまでもない。
【００６９】
以上のとおり、本実施形態の表示装置は、リモコン装置により操作可能で、且つ電子ブックの再生機能を備えた表示装置において、前記リモコン装置は、当該表示装置における各種設定操作を行うための、四方向の方向指示キーを有し、当該表示装置は、電子ブックの再生中の前記方向指示キーに対する押圧操作の継続時間に応じて、前記再生中の電子ブックに対する頁戻し動作，頁送り動作，行戻し動作，行送り動作を、速度を変更するものである。
【００７０】
さらに、前記速度の変更は、前記継続時間に応じた複数段階の変更であってもよい。
【００７１】
さらに、前記方向指示キーの押圧操作に対応する、頁戻し動作，頁送り動作，行戻し動作，行送り動作を、前記再生中の電子ブックの縦読み又は横読み等の仕様に応じて切り換えてもよい。
【００７２】
さらに、前記リモコン装置は、前記各種設定操作を行う際に前の画面に戻るための戻るキーを有し、当該表示装置は、電子ブックの再生中で、且つ前記頁戻し動作，頁送り動作，行戻し動作，行送り動作のいずれかの動作が実行された後である場合に、前記戻るキーに対する押圧によって送信される信号を受信すると、前記実行された動作を元に戻すように構成してもよい。
【００７３】
さらに、当該表示装置は、テレビジョン放送信号を受信する受信手段と、該受信手段で受信したテレビジョン放送信号を出力する出力手段と、を有する構成としてもよい。
【００７４】
本実施形態の表示装置によれば、ユーザがリモコン装置によるダイレクト操作によって容易に電子ブックの行又は頁の検索を実行することができるので、ユーザの操作性を損なってユーザに煩わしい思いをさせることや、操作用のキーを増やすこともなく、電子ブックの行又は頁を検索する際の即時検索性を向上させることが可能となる。特に「簡単構成で簡単動作」が要求されるテレビジョン装置に好適に適用できる。
【００７５】
（実施の形態２）
次に、図１、図２、図４及び図５を用いて、戻るキー３７を押すことにより高速サーチの指示操作前の表示状態に戻る機能を静止画像表示モードに適用した例について説明するが、上記実施の形態１と同一部分には同一符号を付し、その説明は省略する。図２は本実施形態のリモコン装置の一例を示す外観図、図４は本実施形態による画像表示制御動作を示すフローチャート、図５は本実施形態により静止画像を一覧表示したときの一例を示す説明図である。なお、本実施の形態の表示装置についても、図１に示すような構成で実施することができる。また、表示装置１は、動画表示モード及び静止画像表示モードによる画像表示が可能である。
【００７６】
メモリカード等に記録された画像データを再生して表示部１８に表示させるのは、図２のリモコン装置３０の電源ボタン３２を押して電源をオンにして、メニューボタン１４と、選択キー３６により静止画モードにするか、動画／静止画／電子ブックの選択キー３５により表示モードを選択することによって実行できる。
【００７７】
ここで、図２のリモコン装置３０の動画／静止画／電子ブックの選択キー３５によるモード選択等によりモード選択が行われることによって、静止画像表示モードが選択されると、メモリカードＭに保存されているかまたは通信回線を用いて配信されたデータが、制御部２２に接続されたＲＡＭなどに保持された後、データが読み出されて、図５に示すようなサムネイル一覧表示画面（インデックスマルチ画面）が表示される。なお、本実施の形態においては、図５に示すような複数のサムネイル画像（縮小画像）からなるサムネイル一覧表示画面を頁単位として、高速サーチを行う場合について説明を行うが、１つの静止画像を管理単位として、高速送り／戻し制御する場合であっても良いことは言うまでもない。
【００７８】
次に、本実施形態による静止画像の表示制御動作について、図４のフローチャートに基づいて説明する。まず、表示部１８の画面上で「１画面表示」または、「サムネイル表示」を選択することができる（ステップＳ１１）。「サムネイル表示」を選択、決定すると、外部メモリ制御部１４、制御部（マイコン）２２で、各画像データが複数個の単位でグループ化され、複数のグループを管理するために各グループに頁番号を割当てる画像管理の処理が行なわれ、次いで所定の頁番号が選択されてサムネイルの一覧表示画面が表示される（ステップＳ１２）。
【００７９】
次に、方向キー（右）３６Ｒが押圧されると（ステップＳ１３）、押されている時間を計測する計測タイマが作動し（ステップＳ１４）、その時に表示されている画面の頁番号がメモリ（図示せず）に記憶される（ステップＳ１５）。計測時間が所定時間以上になると（ステップＳ１６）、高速（連続）頁送りが実行され、送られた頁の画面のサムネイルは表示されずに、頁番号が連続的にカウント処理されて、カウントされた頁番号よりも頁送り方向に対して例えば一頁先行した頁番号が表示される（ステップＳ１７）。Ｓ１８で方向キー（右）３６Ｒが押されているか否かが判定され、方向キー（右）３６Ｒが継続して押されている間は高速（連続）頁送りが継続され、方向キー（右）３６Ｒが離されると連続頁送りは終了し、その時点でカウントされた（到達した）頁番号とともに、その頁番号に対応したサムネイル一覧画面を表示する（ステップＳ１９）。高速（連続）頁送りの終了後、戻るボタン３７が押された場合は（ステップＳ２０）、Ｓ１５で記憶された頁番号に対応したサムネイル一覧画面を表示する（ステップＳ２１）。Ｓ１６、Ｓ２２にて、計測時間が所定時間より短いと判断された場合は、次頁送りが実行され、次頁の頁番号とそれに対応したサムネイル一覧画面が表示される（ステップＳ２３）。
【００８０】
なお、図４のフローチャートでは、戻るボタン３７の操作により表示される画面は、方向キー（右）３６Ｒが押圧された時に表示されていた画面である。従って、例えば高速（連続）頁送りが複数回行なわれた場合、戻るキー３７の操作により表示される画面は、最新（直近）の高速（連続）頁送りの動作開始直前に表示されていた画面になる。
【００８１】
これらによって、従来であれば、サムネイルや静止画像を頁単位で送り／戻しした後、元の表示画面に戻りたい場合、逆方向の頁へ戻し／送りする操作を行わなければならない。しかし、本実施の形態においては、リモコン装置３０上の操作キー３６の押圧により、高速で送り／戻しを行った後、戻るキー３７を押圧するのみで、正確に高速送り／戻しの操作前の画面へ戻ることが可能になる。
【００８２】
一方、高速（連続）頁送りが複数回行なわれた場合でも、戻るキー３７の操作により表示される画面を、常に最初の高速（連続）頁送りの開始前に表示されていた画面とすることもできる。その場合は、図４におけるＳ１５の処理を、Ｓ１２で行なうように構成すればよい。
【００８３】
また、方向キー（右）３６Ｒの操作で頁送りを行ったが、方向キー（左）３６Ｌを頁戻しに割り当てても良いし、他の方向キーに頁戻し／送りを割り当てても構わない。また、異なった頁戻し／送り速度を持つように選択キー３６に設定しても良い。
【００８４】
また、頁送りを行う際にその時点で再生表示されている頁番号を記憶させたが、これは制御部２２に接続されたＲＡＭなどに記憶させればよく、さらに、頁番号に限らず、静止画像データに関する先頭アドレス、絶対アドレス、相対アドレス、または静止画像に関するアドレスの一部を記憶させてもよい。
【００８５】
また、頁送りの操作中には、頁番号が連続的にカウント処理されることや、サムネイルの代わりにあらかじめＲＯＭ２１に記憶されたグレー画面を読み込んで表示させるだけでなく、実際に表示画面に表示された静止画像を表示しながら頁送りしても良い。
【００８６】
また、サムネイル表示されている１頁あたりの静止画像は、１２枚のものを用いて説明を行ったが、これによらず、一度に表示される静止画像数は、１枚以上であれば、何枚でもよく、工場出荷時の設定または、ユーザの設定またはユーザの選択した表示モードによって制御される。
【００８７】
上記本実施の形態において、戻るキーの操作によって、高速サーチ前の行／頁に戻る位置は、高速送り／戻しを行なう一連の操作直前の行／頁のことを示す。言い換えると、高速で送り／戻しの操作をリモコン装置にて操作する前に画面に表示されていた文字や静止画像の状態をいう。
【００８８】
しかしながら、高速サーチ操作前の位置に関して、ユーザが認識できる範囲内であれば、厳密に全く同一の表示画面でなくても構わない。例えば、動画像データは例えばＮＴＳＣ方式の場合、３０フレーム／秒からなっているが、数フレーム離れた位置であっても、ユーザにとっては問題なく高速サーチ操作前の画面を認識することが可能である。さらには、高速サーチ操作前の行／頁に戻る前に、別の頁に一旦移動する工程を経て表示されたとしても良い。
【００８９】
以上のとおり、本実施形態の表示装置は、複数の電子化された画像をグループ分けし、各グループを頁単位で管理するための頁番号を割り当てる画像管理工程と、所定操作を実行する操作工程と、前記操作工程の操作に基づき、所定の制御を指示する指示工程と、復帰制御を指示する復帰工程と、前記指示工程または前記復帰工程の指示に基づいて、各グループに対し割り当てられた頁番号と所定画像を表示する制御工程とを有し、前記指示工程で指示された前記所定の制御が連続頁送り制御の場合、前記制御工程は、前記頁番号のカウント処理を行い、前記カウント処理に基づいた頁番号を連続的に表示するとともに、当該頁番号に関連付けされた電子化された画像或いはそれ以外の所定パターン画像を表示し、前記連続頁送り制御の終了後、前記制御工程は、前記復帰工程の指示に基づいて、前記連続頁送り制御の開始前に表示されていた頁番号と当該頁番号に関連付けされた電子化された画像を表示するものである。
【００９０】
さらに、操作工程の操作に基づいて、表示されている頁番号を記憶する記憶工程を有し、前記制御工程は、前記復帰工程の指示に基づいて前記記憶工程で記憶された頁番号と当該頁番号に関連付けされた電子化された画像を表示してもよい。
【００９１】
さらに、画像管理工程は、前記各グループが複数の電子化された画像を含むようにグループ分けしてもよい。
【００９２】
さらに、画像管理工程は、前記各グループが１つの電子化された画像を含むようにグループ分けしてもよい。
【００９３】
さらに、操作工程では、第１操作または第２操作のいずれかが実行され、前記指示工程は、前記操作工程で実行された操作が前記第１操作か前記第２操作かを判定する判定工程を有し、前記判定工程において、前記第１操作と判定された場合は前記連続頁送り制御を指示し、前記第２操作と判定された場合は次頁の画面に切換える次頁送り制御を指示し、前記制御工程は、前記指示工程の指示に基づいて前記連続頁送り制御または前記次頁送り制御のいずれかを実行してもよい。
【００９４】
さらに、操作工程の前記所定操作は、スイッチの作動操作によって実行され、前記判定工程は、前記作動操作が所定時間を超えない場合は前記第２操作と判定し、前記作動操作が所定時間以上継続する場合は前記第１操作と判定してもよい。
【００９５】
さらに、制御工程は、前記連続頁送り制御の実行中、前記所定パターン画像としてグレー画像を表示してもよい。
【００９６】
さらに、制御工程は、前記連続頁送り制御の実行中、連続頁送り中であることを認識できる表示を行なってもよい。
【００９７】
前記制御工程は、前記連続頁送り制御の実行中、前記カウント処理でカウントしている頁番号より頁送り方向に対して所定数進めた番号を表示するようにしてもよい。
【００９８】
さらに、表示手段と、記録又は記憶媒体に保存された複数の電子化された画像を読取る読取手段と、前記読取手段で読取った画像をグループ分けし、各グループを頁単位で管理するための頁番号を割り当てる画像管理手段と、所定操作が実行される操作手段と、前記操作手段の操作に基づき、所定の制御を指示する指示手段と、復帰制御を指示する復帰手段と、前記指示手段または前記復帰手段の指示に基づいて、各グループに対し割り当てられた頁番号と記憶もしくは記録された所定画像を前記表示手段に表示する制御手段とを有し、前記指示手段で指示された前記所定の制御が連続頁送り制御の場合、前記制御手段は、前記頁番号のカウント処理を行い、前記カウント処理に基づいた頁番号を連続的に表示するとともに、前記所定画像として当該頁番号に関連付けされた電子化された画像以外の所定パターン画像を表示し、前記連続頁送り制御の終了後、前記制御手段は、前記復帰手段の指示に基づいて、前記連続頁送り制御の開始前に表示されていた頁番号と当該頁番号に関連付けされた電子化された画像を表示してもよい。
【００９９】
さらに、操作手段の操作に基づいて、表示されている頁番号を記憶する記憶手段を有し、前記制御手段は、前記復帰手段の指示に基づいて前記記憶手段に記憶された頁番号と当該頁番号に関連付けされた電子化された画像を表示してもよい。
【０１００】
さらに、テレビジョン放送信号を受信する受信手段と、前記読取手段からの画像信号または前記受信手段からの画像信号のいずれかを前記表示手段へ伝送するように切替を行なう切替手段と、前記指示手段の指示に基づいて、前記読取手段からの画像信号を前記表示手段へ伝送するように前記切替手段を制御する切替制御手段とを備えてもよい。
【０１０１】
さらに、前記画像管理手段は、前記各グループが複数の電子化された画像を含むようにグループ分けてもよい。
【０１０２】
さらに、画像管理手段は、前記各グループが１つの電子化された画像を含むようにグループ分けてもよい。
【０１０３】
さらに、操作手段の前記所定操作としてもよい。
【０１０４】
さらに、指示手段は、前記操作手段で実行された操作が前記第１操作か前記第２操作かを判定する判定手段を有し、前記判定手段において、前記第１操作と判定された場合は前記連続頁送り制御を指示し、前記第２操作と判定された場合は次頁の画面に切換える次頁送り制御を指示し、前記制御手段は、前記指示手段の指示に基づいて前記連続頁送り制御または前記次頁送り制御のいずれかを実行してもよい。
【０１０５】
さらに、操作手段の前記所定操作は、スイッチの作動操作によって実行され、前記判定手段は、前記作動操作が所定時間を超えない場合は前記第２操作と判定し、前記作動操作が所定時間以上継続する場合は前記第１操作と判定してもよい。
【０１０６】
さらに、制御手段は、前記連続頁送り制御の実行中、前記所定パターン画像としてグレー画像を表示してもよい。
【０１０７】
さらに、制御手段は、前記連続頁送り制御の実行中、連続頁送り中であることを認識できる表示を行なってもよい。
【０１０８】
さらに、制御手段は、前記連続頁送り制御の実行中、前記カウント処理でカウントしている頁番号より頁送り方向に対して所定数進めた番号を表示してもよい。
【０１０９】
さらに、前記表示手段と離れた場所から遠隔操作を行なう遠隔操作装置を有し、前記操作手段および前記復帰手段は前記遠隔操作装置に設けられていてもよい。
【０１１０】
本実施形態の表示装置によれば、連続頁送りの機能を設けたことにより、見たい画像を短時間で容易に探し出すことができる。
【０１１１】
また、本実施形態によれば、連続頁送りの実行中に、各頁の画像データを表示することが無く連続頁送りが迅速に処理されるので、快適な操作性を有する。
【０１１２】
また、本実施形態によれば、復帰手段の動作により、連続頁送り開始前に表示されていた画面を表示することができるので、当該画面の頁番号を覚えていなくても、簡単な動作で連続頁送り開始前の画面に戻ることができる。
【０１１３】
また、本実施形態によれば、連続頁送りと次頁送りを一つの動作手段で動作可能としたことにより、部品点数を増やさずに多くの動作機能を実現することができる。
【０１１４】
また、本実施形態によれば、連続頁送りの実行中に、所定パターン画像（例えばグレー画像）や連続頁送り中であることを認識できる表示を行なうことにより、ユーザーは連続頁送りが実行中であることを容易に認識することができる。
【０１１５】
また、本実施形態によれば、連続頁送りの実行中に、カウント処理されている頁番号よりも送り方向に対して先行した番号を画面上に連続表示することにより、ユーザーが行なう連続頁送りの終了動作時のボタン解放動作等の俊敏性に合わせて、ユーザーが見たい画像を的確に表示させることができる。
【０１１６】
また、本実施形態によれば、連続頁送りや次頁送り等の動作を行なう動作手段を、リモートコントロール装置（リモコン）等の遠隔動作装置に設けたことにより、連続頁送りや次頁送りの画面を表示装置と離れた場所から確認しながら動作できるので、画面が見やすく動作性を向上させることができる。
【０１１７】
また、本実施形態によれば、連続頁送りや次頁送り等の動作を行なう動作手段や連続頁送り開始前の画面に戻すための動作を行なう復帰手段を、リモートコントロール装置（リモコン）等の遠隔動作装置に設けたことにより、動作場所が限定されず、連続頁送りや次頁送りの画面を表示装置と離れた場所から確認しながら動作できるので、画面が見やすくなり動作性を向上させることができる。
【０１１８】
また、上述したように、本発明の一実施の形態においては、高速送り／戻し操作があった後に、戻るキー３７の操作により高速送り／戻し操作前の位置に戻る動作を行なったが、これに限られない。すなわち、「戻る」機能を戻るキー３７とは別のキーを割り当てても良い。このときは、表示画面を行／頁単位で高速送り／戻し操作した方向キーとは異なる他の方向キーの操作により高速送り／戻し操作前の位置に戻ってもよい。他の方向キーを割り当てることにより、ユーザは、瞬時に高速送り／戻し操作前の位置に戻すことが可能だからである。
【０１１９】
さらには、高速の行／頁送り／戻し操作したキーと対になる方向（右キーであるなら左キー、上キーであるなら下キーでその逆も同様）に相当するキーの操作により、高速送り／戻し操作前の位置に戻ってもよい。高速送り／戻りを指示したキーと対になる方向に相当するキーを割り当てることにより、ユーザは、感覚的に操作前の位置に戻ることをリモコン装置のキー配置により認識することが可能だからである。
【０１２０】
さらには、戻るキー３７の代わりに決定キー３６Ｋを割り当ててもよい。リモコン装置上の他キーがボタン状であるのに対し、選択キー３６は、方向を示す特性が強いことから、方向を示す形状を取られている場合が多く、決定キー３６Ｋは選択キーの中心に位置するために、これは、ユーザにとって瞬時に認識しやすく、画面を見た状態でも操作しやすい位置にあるからである。さらに、これらのキー操作の割り付け設定は、ユーザが適宜決めても良いし、工場出荷時に予め決められていても良い。
【０１２１】
さらに、上記本発明の一実施の形態において、方向指示キーの押圧操作に対応する、頁戻し動作，頁送り動作，行戻し動作，行送り動作は、電子ブックの縦読み又は横読みの場合に限られず、表示装置の表示形態により、変更することができる。例えば、高速頁送りを方向キー（右）３６Ｒ、高速頁戻しを方向キー（左）３６Ｌを関連付けてもよく、普段の頁送りを方向キー（下）３６Ｄ、普段の頁戻しを方向キー（上）３６Ｕとしてもよく、さらには、頁送り／戻しのどちらか一方だけを方向キーに割り当てて押圧操作が行えるものとしてもよい。
【０１２２】
さらに、上記本発明の一実施の形態においては、仕様及び切り換え時の対応キーは、ＲＯＭ２０に記憶させても良いが、表示装置のＲＯＭ２０に限られずＲＡＭやＥＰＲＯＭであっても良く、同等の処理ができるに相当する部分に記憶させても良い。
【０１２３】
そしてまた、上記本発明の一実施の形態においては、リモコン装置上の方向キーを高速送り／戻しに用いたが、リモコン装置に高速送り／戻し機能を動作するキーがあらかじめ付されている場合、これを用いても良い。
【０１２４】
さらに、上記本発明の一実施の形態においては、静止画像であれば、Ｘ頁または、Ｘ枚の画像分（Ｘ≧１）送り／戻しした状態で表示させても良く、さらには、動画像であるなら、例えば、Ｙ秒分（Ｙ≧１）のコマを送り／戻しした状態やＺコマ分（Ｚ≧１）のコマを送り／戻しした状態であってもよい。上記Ｘ，Ｙ，Ｚに関する設定は、工場出荷時に予め設定されていてもよいし、ユーザが意図的または意識的に任意に設定してもよい。
【０１２５】
また、上記本発明の一実施の形態においては、表示装置１は、リモコン装置３０における方向キー（上）３６Ｕ，方向キー（下）３６Ｄ，方向キー（左）３６Ｌ，方向キー（右）３６Ｒの押圧によって送信される指示信号を受信した後、再生中の方向指示キーに対する押圧操作の継続時間に応じて、行／頁戻／送り操作の速度を変更したが、行／頁を戻／送りする速度は、これに限られない。あらかじめ工場出荷時またはユーザにより決めておいた速度で一定にされて、押圧操作時間分だけ行／頁を戻／送り操作が行われてもよいし、キーを離した後に決められた分の行／頁を戻／送り操作がされても良いことは言うまでもない。
【０１２６】
さらに、上記本発明の一実施の形態においては、電子ブックモードや静止画モードにおいて再生される文字や静止画像の表示について説明したが、これに限られず、動画像モードなどの各種モードにおいて再生可能な各種コンテンツデータに対して適用することも可能である。動画像モードの場合には、音声は所定時間単位で、映像の場合は、所定時間単位や所定フレーム単位により管理して、高速送り／戻しするようにしても良いことは言うまでもない。さらに、音声や動画の場合、高速送り／戻り操作を行った時に、同時に動作開始前の画面位置情報をメモリに記憶する動作は、音声であれば、時間に関する情報を、動画であれば、時間またはフレームに関する情報をメモリに記憶させれば良いことは言うまでもない。
【０１２７】
さらに、上記本発明の一実施の形態においては、表示装置の一例としてテレビジョン受像機について説明したが、本発明はこれに限られず、文字、静止画、及び音声や動画といった各種データを再生するものであればよく、例えば、ＰＣ（パーソナルコンピュータ）や、カーナビゲーションシステムや、携帯型のＡＶプレーヤや、デジタルカメラや、デジタルビデオカメラ及び携帯電話といった表示装置を有するものにおいて適用しても良く、表示装置に付された再生装置において適用しても良く、さらには、表示装置に限られず、文字及び静止画像並びに音声や動画といった再生データを再生できる装置でも良いことは言うまでもない。
【０１２８】
なお、本発明は、上記各実施形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。
【０１２９】
なお、本発明は、文字、静止画、及び音声や動画といった各種データを再生する表示装置を有するものについて説明したが、上記各実施形態に限定されない。なぜなら、各実施形態の表示装置においてこれらデータが再生可能な状態であればよいからである。つまり、文字、静止画、及び音声や動画といった各種データが再生し、表示装置に表示可能にする再生装置に適用しても良い。
【図面の簡単な説明】
【０１３０】
【図１】本発明の実施の形態による表示装置の一構成例を示すブロック図である。
【図２】本発明の実施の形態によるリモコン装置の一例を示す外観図である。
【図３】本発明の実施の形態による表示装置の処理の動作の一例について説明するためのフローチャートである。
【図４】本発明の実施の形態にかかる画像表示制御動作を示すフローチャートである。
【図５】本発明の実施の形態による表示装置の静止画を表示したときの一例を示す説明図である。
【符号の説明】
【０１３１】
１    表示装置
１１  アンテナ
１２  受信部
１３  スロット部
１４  外部メモリ制御部
１５  切換部
１６  映像処理部
１７  音声処理部
１８  表示部
１９  スピーカ
２０  ＲＯＭ
２１  受光部
２２  制御部
３０  リモコン装置
３１  画面表示キー
３２  電源キー
３３  録画キー
３４  静止画記録キー
３５  動画／静止画／電子ブックの選択キー
３６  選択キー
３６Ｕ  方向キー（上）
３６Ｄ  方向キー（下）
３６Ｌ  方向キー（左）
３６Ｒ  方向キー（右）
３６Ｋ  決定キー
３７  戻るキー
【図１】
2005276166.tif 000003
【図２】
2005276166.tif 000004
【図３】
2005276166.tif 000005
【図４】
2005276166.tif 000006
【図５】
2005276166.tif 000007